(57)【要約】複数個の光源（２ａ）〜（２ｃ）を支持する光源支持部（１３）が設けられたトーチ部（１１）を各光源（２ａ）〜（２ｃ）の発光状態を個別に変化させる制御回路部（２２）を内蔵した基台部に立設した照明スタンド（３）と、光透過性を有する半透明な樹脂材により略ロウソクの炎状を呈するキャップ状に成形されるとともに光源支持部（１３）に装着されて各光源（２ａ）〜（２ｃ）から出射された照明光を拡散させて全体が光輝する散光部材（４）と、透明樹脂材によって成形され照明スタンド（３）の外周部に設置されるシェード部材（５）と、筒状に丸められてシェード部材（５）の内部に組み付けられて各光源（２ａ）〜（２ｃ）から出射された照明光を拡散させる遮蔽拡散部材（６）とを備える。このことにより、複数個の光源から出射される照明光を、よりロウソクの炎に擬態化された揺れ変化を生じさせて照明を行うことができる。【特許請求の範囲】
【請求項１】
制御回路部によって発光状態を個別に変化される複数個の光源と、
上記各光源を所定の高さ位置においてそれぞれ着脱自在に支持する光源支持部が一体に設けられたトーチ部と、このトーチ部を立設状態で支持する基台部とからなる照明スタンドと、
上記トーチ部の上記光源支持部に着脱自在に装着され、上記各光源から出射された照明光を散光させるキャップ状の散光部材と、
上記照明スタンドの高さよりも長軸かつ太径の筒体に形成され、上記照明スタンドを被覆するようにして設置される透明又は半透明なシェード部材と、
上記シェード部材の内周部に着脱自在に設けられて上記照明スタンドを遮蔽するとともに、上記各光源の発光状態において出射された照明光を拡散して上記シェード部材の外周部から照光させる遮蔽拡散部材とを備え、
上記各光源の個別発光変化により上記シェード部材の外周部に明暗の移動変化を発生させ、ロウソクの炎に擬態化した照明光の揺らぎ変化を表出させることを特徴とする電飾装置。
【請求項２】
上記シェード部材は、外周面が軸線方向に直線的であることを特徴とする請求の範囲第１項記載の電飾装置。
【請求項３】
上記シェード部材には、天井部が設けられていることを特徴とする請求の範囲第２項記載の電飾装置。
【請求項４】
上記シェード部材は、円筒形状をなすことを特徴とする請求の範囲第２項記載の電飾装置。
【請求項５】
上記光源支持部とシェード部材の内径との比は、１９：７０〜１００であることを特徴とする請求の範囲第４項記載の電飾装置。
【請求項６】
上記光源の位置は、上記シェード部材の略半分以下の高さに設けられていることを特徴とする請求の範囲第５項記載の電飾装置。
【請求項７】
上記遮蔽拡散部材は、筒状に丸められたとき、拡径する方向の弾性を有し、上記シェード部材の内周面に着脱可能であることを特徴とする請求の範囲第２項記載の電飾装置。
【請求項８】
上記遮蔽拡散部材は、透明樹脂フィルムからなる基材に樹脂材をコーティングすることによって光拡散層を形成した半透明のシート材であることを特徴とする請求の範囲第７項記載の電飾装置。
【請求項９】
上記光源支持部は、セパレータにより複数の領域に区別され、それぞれの領域に１つずつ光源が設けられていることを特徴とする請求の範囲第１項記載の電飾装置。
【請求項１０】
上記各光源は、それぞれの上記光源支持部によって、異なる高さに設けられることを特徴とする請求の範囲第１項記載の電飾装置。
【発明の詳細な説明】
【技術分野】
【０００１】  本発明は、白熱球等からなる複数個の光源を備え、これら各光源からの照明光が恰もロウソクの炎に擬態化された揺らぎ変化を表出して照明を行うようにした電飾装置に関する。本出願は、日本国において２００３年９月３０日に出願された日本特許出願番号２００３−３４２１０４号を基礎として優先権を主張するものであり、この出願は、参照することにより本出願に援用される。
【背景技術】
【０００２】  燭台といった電飾装置は、居住空間等を単に明るく照明する機能ばかりでなく、例えば間接照明や調光照明を行うことによって癒しや安らぎ等の雰囲気を作り出す機能も奏している。例えば特開平９−１０６８９０号公報（以下、特許文献１という。）には、１つの器具の異なる場所に配置された複数個の光源と、これら各光源の発光状態を制御する制御部とを備え、各光源の発光状態を時間経過にしたがってそれぞれ変化させる照明装置が開示されている。この照明装置は、時間経過に伴って発光位置と発光量とを次第に変化させるようにして恰もロウソクの炎の揺らめきに似た照明光の変化により独特な雰囲気が醸し出されるようにする。また、本件出願人も、特許第２９６８４８３号公報（以下、特許文献２という。）で、同様に照明光に揺らぎ変化を生じさせるようにした電飾器を提案している。
特開平１−１１５００３号公報（以下、特許文献３という。）には、異なる色調光を発生する複数の発光体を覆って照明光を拡散させる略カップ状の光拡散フィルタ部材を基台に取り付けるとともに、発光体や光拡散フィルタ部材を被覆するようにして全体略球形のシェードを基台に組み付けてなる照明器具が開示されている。この照明器具は、光拡散フィルタ部材が各発光体からの光を拡散することによってシェードに発光体の影が映らないようにする。この照明器具は、各発光体が発光量制御回路によって位相制御されて点滅されることにより、時間経過に伴ってシェードの色調等が変化するように構成されている。
ところで、上記特許文献１の照明装置においては、ロウソクの炎に近似した発光状態の揺らぎ変化が奏されるようになる。しかしながら、この特許文献１には、使用状態における対応、例えば各光源等の内部部品が直接視認されないようにする構成等について何ら開示されていない。特許文献１には、照明光の揺らぎ変化のみでロウソクの炎に近似した形態を表現しようとする考え方が示されているに過ぎず、よりロウソクの炎に禁じさせる考え方は開示されていない。
また、上記特許文献３の照明器具は、各発光体からの光が光拡散フィルタ部材によってシェードの内面全体に拡散されることによって、このシェードが時間経過に伴って発光量と色調とを変化させながら照明を行う。したがって、この照明器具においては、上記特許文献１や特許文献３のような癒しや安らぎ等の雰囲気を醸し出すロウソクの炎に近似させ、照光する機能を有していない。また、特許文献３の照明器具においては、比較的入手が困難な色調を異にする複数の発光体を用意しなければならないといった問題もある。
特許文献２の電飾器は、恰も特許文献３の照明器具の内部に特許文献１の光源部を備えたものとほぼ同等の構成を有している。特許文献２の電飾器は、光源の影がシェードに映らず、各発光源の発光状態が個別に制御されて照明光の揺らぎ変化が生じるが、グローブが略球形状をしている。このため、この電飾装置は、レセプタクルとグローブとの間に距離があり、これらの間で光が散乱してしまう。このため、グローブ表面には、ロウソクの炎が細長であるのに対して、略円形の像が現れてしまうとともに、ロウソクの炎のような揺らぎ変化が小さくなってしまう。また、この電飾器は、全体が一体的に構成されている。このため、使用場所や雰囲気に応じて異なる色調の照明を行う場合には、グローブや光源の交換作業が面倒なものとなる。
【発明の開示】
【発明が解決しようとする課題】
【０００３】  本発明の目的は、シェード部材の表面に、よりロウソクの炎に近い形状で、すなわち細長い照明光を表出させることができる電飾装置を提供することにある。
本発明の他の目的は、シェード部材の表面に、ロウソクの炎に近い形状で、照明光を表出させた際に、ロウソクの炎のような揺らぎ変化をより顕著に表出することができる電飾装置を提供することにある。
すなわち、本発明に係る電飾装置は、制御回路部によって発光状態を個別に変化される複数個の光源と、トーチ部と基台部とからなる照明スタンドと、散光部材と、シェード部材と、遮蔽拡散部材とを備える。照明スタンドは、各光源を所定の高さ位置においてそれぞれ着脱自在に支持する光源支持部が一体に設けられたトーチ部と、このトーチ部を立設状態で支持する基台部とからなる。散光部材は、トーチ部の光源支持部に着脱自在に装着され、各光源から出射された照明光を散光させるキャップ状の部材からなる。シェード部材は、透明又は半透明であり、照明スタンドの高さよりも長軸かつ太径の筒体に形成され、照明スタンドを被覆するようにして設置される。このシェード部材は、例えば、外周面が軸線方向に直線的に形成され、縦方向の光が、縦方向に拡幅するように屈折するようにし、縦方向の揺らぎが現れやすく形成されている。遮蔽拡散部材は、シェード部材の内周部に着脱自在に設けられて照明スタンドを遮蔽するとともに、各光源の発光状態において出射された、散光部材で拡散された照明光を更に拡散してシェード部材の外周部から照光させる。遮蔽拡散部材は、例えば、筒状に丸めたとき拡径する方向の弾性を有し、シェード部材の円周面に密着するように形成されている。
以上のように構成された本発明に係る電飾装置は、例えばテーブル等の上に照明スタンドが設置され、この照明スタンドの外周部を覆うようにしてシェード部材が設置される。シェード部材の内周部に設けられる遮蔽拡散部材は、内部の照明スタンドを遮蔽して外部から視認されないようにする。この電飾装置は、電源が投入されると光源支持部に取り付けられた各光源が、制御回路部によって個別に制御されてトーチ部の所定の高さ位置においてそれぞれの発光状態を変化させながら発光する。光源支持部に装着された各光源を覆う散光部材は、各光源から出射された照明光をシェード部材の内部空間内に散光させる。更に、電飾装置は、遮蔽拡散部材を介してシェード部材の外周部から照明光を放出することで、シェード部材の外周部が各光源との対向部位を中心として周辺部分が明るくなる。この電飾装置は、各光源が発光状態を次第に変化させることによりシェード部材の外周部において、明暗の変化や明るい部位の左右上下の移動を発生させ照明光を、ロウソクの炎に擬態化させる。
本発明に係る電飾装置は、シェード部材が筒状に形成され、散光部材とシェード部材との距離が従来より短いことから、散光部材から散光された光が、内周面に遮蔽拡散部材が設けられたシェード部材を介して照光する際、光の揺らぎがシェード部材の表面に現れやすくなる。特に外表面が軸線方向に直線的なシェード部材を用いると、縦方向の揺らぎが顕著に現れ、ロウソクの炎により近い状態となる。
本発明の更に他の目的や本発明によって得られる具体的利点は、以下において図面を参照して説明される実施の形態から明らかにされるであろう。
【図面の簡単な説明】
【０００４】
【図１】図１は、実施の形態として示した電飾装置の一部切欠き斜視図である。
【図２】図２は、照明スタンドの要部分解斜視図である。
【図３】図３は、シェード部材及び遮蔽拡散部材の分解斜視図である。
【図４】図４は、照明スタンドの要部縦断面図である。
【図５】図５Ａ乃至図５Ｃは、シェード部材に表現される照明光の揺らぎ変化を示す図である。
【図６】図６は、第２の実施の形態として示す電飾装置を説明する図であり、同図６Ａは光源支持部の要部展開図、同図６Ｂはシェード部材に表現される照明光の揺らぎ変化を示す図である。
【図７】図７は、第３の実施の形態として示す船型電飾装置の一部切欠き側面図である。
【図８】図８は、第４の実施の形態として示すダウンライト型電飾装置の要部縦断面図である。
【発明を実施するための最良の形態】
【０００５】  以下、本発明を適用した電飾装置１を図面を参照して詳細に説明する。
この電飾装置１は、照明を落とした比較的暗い雰囲気に保持されたリビングルーム、レストランのテーブル等に設置される。この電飾装置は、なじみ深いロウソクの炎のように棒状で細長く揺らぎ変化をもたせた光で照明を行うことにより癒しや安らぎ感等を与える独自の雰囲気を醸し出すようにする。
本発明を適用した電飾装置１は、図１に示すように、３個の光源２ａ〜２ｃと、光源２ａ〜２ｃが取り付けられる照明スタンド３と、照明スタンド３に取り付けられ光源２ａ〜２ｃで放出された光を散光する散光部材４と、照明スタンド３の外周に配設されるシェード部材５及びシェード部材５の内側に配設される遮蔽拡散部材６からなるシェード７とを備える。
各光源２ａ〜２ｃには、例えばロウソクの炎に近い淡い赤色光を発色する小型の白熱球が用いられる。光源２ａ〜２ｃは、図２に示すようにフィラメントを封入したバルブ８、このバルブ８の下方部位を被覆する絶縁チューブ９、バルブ８の下端部から突出された一対のピン端子１０ａ、１０ｂ等から構成される。各光源２ａ〜２ｃは、後述するように照明スタンド３に交換自在に支持される。
なお、光源２ａ〜２ｃには、必要に応じて種々の発色光を有するものを用いたり、放電管、ＬＥＤの各種の小型光源を用いるようにしてよい。また、光源２ａ〜２ｃの数も、３個に限定されるものではなく２個又は４個以上であってもよい。光源は、数を増やすことにより詳細な揺らぎ変化を作り出すことできる。
照明スタンド３は、トーチ部１１と、基台部１２とからなる。トーチ部１１は、合成樹脂材によってやや小径の天井部を有する段付き略円筒体として成形され、下端部位の周回りに円盤状の取付フランジ部１４が一体に形成されてなる。トーチ部１１は、天井部が各光源２ａ〜２ｃを着脱自在に支持する光源支持部１３として構成されるとともに、取付フランジ部１４が基台部１１に対する取付部を構成する。
トーチ部１１には、図２に示すように、光源支持部１３の外周部に散光部材４が着脱される装着部１５が設けられている。トーチ部１１には、切欠部１７が形成されて各光源２ａ〜２ｃから発生した熱を外部に放熱する。なお、トーチ部１１は、円筒形状ばかりでなく多角形の筒状に形成されてもよい。
トーチ部１１には、先端側の光源支持部１３に、中心から放射状に等間隔に３つのセパレータ取付溝１８ａ〜１８ｃが形成されている。光源支持部１３は、これらセパレータ取付溝１８ａ〜１８ｃによって円周方向に対して３つの領域１３ａ〜１３ｃに区割りされ、それぞれの領域１３ａ〜１３ｃには、光源２ａ〜２ｃが取り付けられる。光源支持部１３には、各領域１３ａ〜１３ｃに、各光源２ａ〜２ｃの絶縁チューブ９を保持する円形の台座部１４ａと、ピン端子１０ａ、１０ｂがそれぞれ差し込まれる一対の端子孔１４ｂがそれぞれ形成されている。光源支持部１３には、図示しないが、台座部１４ａによって高さを保持された各端子孔１４ｂの内部にピン端子１０ａ、１０ｂを電気的に接続する筒状端子が設けられている。また、後述するが、台座部１４ａの高さを異ならせることで、各光源２ａ〜２ｃの高さを変えることができる。
散光部材４が取り付けられる装着部１５には、セパレータ取付溝１８ａ〜１８ｃの延長方向の外周面に、それぞれガイドリブ１６と切欠部１７とが形成されている。また、散光部材４の装着部１５には、セパレータ取付溝１８ａ〜１８ｃと対応する延長方向の外周面にやや高さの小さな第１ガイドリブ１６ａが形成されるとともにその下方部に切欠部１７が形成される。また、装着部１５には、これら第１ガイドリブ１６ａや切欠部１７を挟んで互いに平行な第２ガイドリブ１６ｂと第３ガイドリブ１６ｃとが形成されている。散光部材４の装着部１５には、各光源２ａ〜２ｃを覆うようにして散光部材４が着脱される。
セパレータ取付溝１８ａ〜１８ｃは、溝幅を部分的に変化させるようにして複数の凹凸部が形成されている。セパレータ取付溝１８ａ〜１８ｃは、この凹凸部で領域１３ａ〜１３ｃを区割りするセパレータ１９を保持する。セパレータ１９は、反射特性の大きな鏡面処理を施された金属薄板を、幅方向に対して三つ折りすることによって略Ｙ字状に折曲されてなり、それぞれ略三角形の空間部１９ａ〜１９ｃを構成する。セパレータ１９は、各空間部１９ａ〜１９ｃがそれぞれの高さ寸法を各光源２ａ〜２ｃの高さよりも大きく、また上方に向かって次第に幅狭となるように金属薄板を折曲して形成されている。
セパレータ１９は、各領域の下端部を上述したセパレータ取付溝１８ａ〜１８ｃ内に差し込むことにより光源支持部１３上に組み付けられる。セパレータ１９は、セパレータ取付溝１８ａ〜１８ｃの内壁に形成した凹凸部によってこれら溝内において厚み方向に挟持されて光源支持部１３上に保持される。セパレータ１９は、組み付けられた状態において光源支持部１３の各領域１３ａ〜１３ｃにそれぞれ取り付けられた３個の光源２を分離する。
以上のように光源支持部１３に取り付けられたセパレータ１９は、それぞれに光源２ａ〜２ｃのいずれかが設けられた空間部１９ａ〜１９ｃを分離することで、各光源２ａ〜２ｃから放出された光を外方に対して効率的に反射することができ、揺らぎ変化を強調した照明を作ることができるようになる。
なお、セパレータ取付溝１８ａ〜１８ｃやセパレータ１９は、本発明において必ずしも設ける必要もなく、また、かかる形状に限定されるものではない。また、セパレータ１９は、充分な反射特性を有することを条件に、例えばトーチ部１１と一体に立設された立壁部によって構成するようにしてもよい。
トーチ部１１には、図１に示すように、内部空間に一端側を光源支持部１３に設けた筒状端子を介して各光源２ａ〜２ｃと接続されるリード線２０が延在される。トーチ部１１には、取付フランジ部１４の底面に複数の取付筒部が一体に形成されており、これら取付筒部に基台部１２側から止めねじがそれぞれねじ込まれることによって基台部１２上に固定される。取付フランジ部１４には、図１に示すように、上面に複数個の係合凸部２１ａ〜２１ｃが一体に立設され、必要に応じて小径のシェード部材を直接組み付けることを可能とする。第１係合凸部２１ａは、先端部が外側に向かって折曲されたフック状に形成されている。
なお、第１係合凸部２１ａの数は、小径のシェード部材を確実に係止することができるのであれば、特に限定されない。この小径のシェード部材は、後述の散光部材４と同様の構成を備えることにより、光源２ａ〜２ｃから放出された光を散光するものである。
トーチ部１１は、上述したように光源支持部１３に、同一円周上に位置するようにして各光源２ａ〜２ｃを取り付けて支持するようにしたが、かかる構成に限定されるものではない。トーチ部１１は、上述した光源支持部１３に加え、又はこの光源支持部１３に代えて、例えば外周部に各光源２ａ〜２ｃを高さ位置を変えて恰もクリスマスツリーのようにして取り付ける複数の光源支持部を形成するようにしてもよい。
基台部１２は、合成樹脂材によってトーチ部１１の外径よりも大径とされた有底円筒形に形成されている。基台部１２には、図示しないが底面部に取付フランジ部１４の各取付筒部に対応して複数の取付孔が形成されている。基台部１２には、これら取付孔と取付筒部とを対向位置させて上面開口部を取付フランジ部１４で閉塞するように組み合わされ、取付フランジ部１４をねじ止めすることによりトーチ部１１を立設状態で支持する。
なお、照明スタンド３は、例えばトーチ部１１の取付フランジ部１４を底面を開放した大径の筒状に形成するとともに、この取付フランジ部１４の開放底面を円盤状に形成した基台部１２で閉塞するようにして固定するようにしてもよい。また、基台部１２は、トーチ部１１を安定した状態でしっかりと立設状態に保持すればよく、円形に限定されず例えば多角形であってもよい。
基台部１２には、その内部空間に詳細を省略するがリード線２０の他端が接続される制御回路部２２が内蔵される。制御回路部２２には、プリント配線基板にメモリやＣＰＵ（ｃｅｎｔｒａｌ  ｐｒｏｃｅｓｓｉｎｇ  ｕｎｉｔ）が搭載されてなり、各部に対して所定の電圧を供給する電源回路やトランジスタ、抵抗等からなる光源駆動回路等が構成されている。基台部１２には、外周部に同軸コネクタ２３が設けられており、同軸コネクタ２３の一端側には、図示しないＡＣ−ＤＣコンバータを介して商用電源（電源コンセント）と接続された電源コード２４のジャックが接続される。制御回路部２２には、電源コード２４を介して内部の電源回路に所定電圧に変換された直流電源が供給される。基台部１２には、外周部に電源スイッチ２５が設けられており、不要な場合に各光源２ａ〜２ｃを消灯させることが可能である。
なお、電飾装置１は、商用電源に接続して用いるようにしたが、例えば基台部１２に装填した電池を電源とするようにしてもよい。電飾装置１は、この場合に充電が可能な二次電池が好適に用いられる。
制御回路部２２のメモリ内には、各光源２ａ〜２ｃについてそれぞれ点灯及び消灯の間隔、それぞれの発光量等を個別に制御する制御データが記憶される。各制御データは、例えば、ロウソクの炎の変化状態を例えば照度計によって計測し、この計測結果に基づいて各光源２ａ〜２ｃの発光状態をそれぞれ制御するように数値化したデータである。
ＣＰＵは、メモリから各光源２ａ〜２ｃの制御データを読み出し、これら制御データに基づいてそれぞれ対応する光源駆動回路を駆動することによって各光源２ａ〜２ｃの発光状態を制御する。各光源２ａ〜２ｃは、例えばそれぞれの光源駆動回路に設けたトランジスタが発光パターンのパルス幅を調整するためのパルス幅変調信号で駆動されることにより、適宜の間隔で点灯と消灯とを繰り返すとともに点灯状態における発光量も適宜調整される。
トーチ部１１には、先端側の装着部１５に散光部材４が装着される。散光部材４は、例えば光透過性を有する半透明な樹脂材によって、図１に示すように、上端側を次第に細径とした略円錐台形状をしたキャップ状に形成されている。散光部材４は、例えば外周面を粗面とすることによって、後述するように被覆した各光源２ａ〜２ｃから出射された照明光を散光する。散光部材４は、シェード部材５の表面に、ロウソクの炎のように細長に照明光が現れるようにするため、細長く、例えば略円錐台状に形成されている。
なお、散光部材４については、細長く形成されていれば円錐台形状に限定されるものではなく、例えばロウソクの炎の形状に近い砲弾形状であってもよい。散光部材４は、例えば乳白色の合成樹脂材によって成形したり適宜に着色した合成樹脂材によって成形するようにしてもよい。
散光部材４は、下端部の外径が散光部材４の装着部１５の外径とほぼ等しく、この散光部材４の装着部１５に形成された各第２ガイドリブ１６ｂ及び第３ガイドリブ１６ｃにそれぞれ対応して複数組の高さ方向の一対の係合溝２６ａ、２６ｂが形成されている。散光部材４には、各係合溝２６ａ、２６ｂ間に切り残された高さ方向の複数の舌片部２７の内面に、散光部材４の装着部１５側の各第１ガイドリブ１６ａに対応してそれぞれ高さ方向の係合凹部２８が形成されるとともに、舌片部２７の下端部に内面側へと突出する係合凸部２９が形成されている。散光部材４は、装着部１５に対してその上方から、係合溝２６ａ、２６ｂを第２ガイドリブ１６ｂ及び第３ガイドリブ１６ｃに対向させて組み付けられる。
散光部材４は、各舌片部２７が外側へと弾性変位することによってそれぞれの係合凸部２９が第１ガイドリブ１６ａの外周に乗り上がって移動し、この第１ガイドリブ１６ａを乗り越えてその下端部と相対係合する。散光部材４は、これによって、光源支持部１３に支持された各光源２を被覆してトーチ部１１に回転が規制されるとともに抜け止めがされた状態で組み付けられる。散光部材４は、トーチ部１１から強く引き抜くことによって、取り外しが可能である。
散光部材４は、例えば色調を変えたいとき、所望の色をした散光部材４に交換される。照明スタンド３においては、各光源２が点灯すると散光部材４が出射された照明光をやわらかな間接光として外周表面から周囲に散光する。ここで、散光部材４は、ロウソクの炎に似せて、細長に形成されているので、散光部材４とシェード部材５との間の空間に、ロウソクの炎のように、光源２ａ〜２ｃの照明光を散光することができる。
以上のような照明スタンド３は、光源支持部１３に光源２ａ〜２ｃとセパレータ１９とが差し込まれることによって組みつけられるとともに、光源２ａ〜２ｃと同方向から散光部材４も組み付けることができ、極めて容易に組立作業を行うことができる。したがって、例えば、電飾装置１の色調を変更するため、光源２ａ〜２ｃや散光部材４を交換する作業が容易となる。
照明スタンド３には、例えばテーブル等に設置された状態において、図１に示すようにその外周部が適当な間隔を保持されるようにしてシェード部材５と遮蔽拡散部材６とからなるシェード７によって覆われる。シェード部材５は、光透過性に優れた例えばアクリル樹脂やポリカーボネート樹脂等の透明な合成樹脂材によって形成され、照明スタンド３の基台部１２の外径よりも大径とされるとともに照明スタンド３よりも長軸の筒体に成形されている。
ここで、基台部１２とシェード部材５との関係を説明すると、基台部１２の直径が、例えば、略６７ｍｍであるとき、シェード部材５の内径は略７０ｍｍ〜１００ｍｍである。シェード部材５は、例えば、内径を基台部１２の外径と略同じにすることで、シェード部材５を基台部１２に嵌合させることができ、基台部１２にシェード部材５を安定して取り付けることができる。
また、シェード部材５と光源２ａ〜２ｃとの関係を説明すると、光源２ａ〜２ｃが取り付けられた光源支持部１３の直径は略１９ｍｍである。内径が略７０ｍｍ〜１００ｍｍのシェード部材５に対して、直径が略１９ｍｍの光源支持部１３に光源２ａ〜２ｃを取り付けることで、光源２ａ〜２ｃで発光された照明光は散光部材４で適度に散光されて、シェード７に至ることになる。換言すると、シェード部材５の内径と光源支持部１３の直径との比は、１９：７０〜１００である。
また、シェード部材５で表現する炎は棒状で細長い。そこで、光源２ａ〜２ｃの位置は、例えばシェード７の半分より下側に位置させることで、ロウソクの炎の先端がシェード部材５の上端でとぎれないようにすることができる。
また、シェード部材５は、外周面が軸線方向に直線的に形成され、ここでは例えば円筒状に形成されている。また、シェード部材５は、テーブル等に安定した状態で設置されるように、適宜の厚みを有している。なお、シェード部材５は、透明樹脂ばかりでなく、例えばガラスによって形成してもよい。
シェード部材５は、円筒形のように外周面が軸線方向に直線的に形成されることによって、照明スタンド３の各光源２ａ〜２ｃから出射され、散光部材４から放出された照明光を外周部からシェード部材５の周回り方向に放射するとともに、照明光を軸線方向に対し、拡幅するように屈折させて放射する。これにより、シェード部材５の表面には、より細長いロウソクの炎に似た像が現れることになる。
シェード部材５には、下端部に切欠部３０が形成されており、照明スタンド３を覆って設置された状態において電源コード２４を内部へと挿通して同軸コネクタ２３と接続させる。
なお、シェード部材５は、円筒形に限定されるものではなく、多角形の筒状体としてもよい。また、シェード部材５は、光透過性を大幅に低下させない条件で、色調を変えるため適宜着色されていてもよい。電飾装置１は、様々な色のシェード部材５を用意しておき、交換できるようにすることで、シェード部材５の色に合わせた色調で照明を行うことができる。さらに、シェード部材５は、天井部を一体に形成するようにしてもよい。天井部は、例えば、平面の他に半球状に形成することができる。
シェード部材５の内周に取り付けられる遮蔽拡散部材６は、透明樹脂フィルムからなる基材に、例えば微細な透明ビーズを混入した樹脂材をコーティングすることによって光拡散層を形成した半透明の拡散シート材が用いられる。遮蔽拡散部材６は、図３に示すように、シェード部材５の軸長とほぼ同等の幅寸法を有するとともに、シェード部材５の内周面の長さと同じ又はわずかに長く形成されている。遮蔽拡散部材６は、筒状に丸められてシェード部材５の内周部に装着されたとき、展開方向の弾性力を有している。遮蔽拡散部材６には、シェード部材５に装着された状態において切欠部３０と連通して電源コード２４を内部へと挿通させる切欠部３１が形成される。
なお、遮蔽拡散部材６は、上述したように拡散シート材を用いたが、内部からの光を透過させながら、遮蔽機能を奏するある程度の腰の強い素材であればよい。遮蔽拡散部材６には、例えば和紙等も好適に用いられる。
シェード７は、図３に示すように、長さ方向の両端を全域に亘って重ね合わせるようにして筒状に丸められた遮蔽拡散部材６が、シェード部材５の内部空間に差し込まれて構成される。遮蔽拡散部材６は、展開方向の弾性力を有することから、シェード部材５の内周面に密着されるため、シェード部材５と遮蔽拡散部材６との間で無用に光が拡散することを防止することができる。シェード７は、上述したようにシェード部材５が透明又は半透明の合成樹脂により形成されているが、内部空間に装着した遮蔽拡散部材６の光拡散層によって外部からその内部に配置された照明スタンド３が直接視認されないようにする。シェード７は、照明スタンド３に電源が投入されて各光源２ａ〜２ｃが点灯した状態において、これら各光源２ａ〜２ｃから出射された照明光を拡散させてシェード部材５の外周表面から周囲に放射させる。
シェード７は、上述したようにシェード部材５に対してその内部空間に筒状に丸めた遮蔽拡散部材６を装着した簡易な構造であり、極めて廉価に製作される。シェード７は、シェード部材５に対して遮蔽拡散部材６が着脱自在とされることによって、例えば適宜に着色された遮蔽拡散部材６と交換することによって電飾装置１が雰囲気を変えた照明を行うことができる。シェード７は、照明スタンド３に対して適当な間隔を保持されることにより、この照明スタンド３の散光部材４を介して放射された照明光が全周から入射されるようになる。
以上のように構成された電飾装置１においては、図１及び図４に示すように、テーブル上に載置した照明スタンド３にシェード７が被せられて設置される。電飾装置１においては、切欠部３０、３１から挿通された電源コード２４が同軸コネクタ２３と接続され、電源スイッチ２５のオン操作が行われることによって、各光源２ａ〜２ｃが点灯する。電飾装置１においては、トーチ部１１の先端部に形成された光源支持部１３に支持されることによって、テーブル面から所定の高さ位置に配置された各光源２ａ〜２ｃから出射された照明光がロウソクの炎状に形成された散光部材４において拡散されてシェード７内で放射される。
電飾装置１においては、図４に示すように、散光部材４から放射された照明光がシェード７に対してその全周から入射される。電飾装置１は、照明光が遮蔽拡散部材６によって拡散されてシェード部材５の外周表面から放射されて周囲を照明する。このとき、シェード部材５は、周回り方向に放射するとともに、軸線方向に照明光を拡幅させるように屈折させて照明する。したがって、シェード部材５の表面には、より細長い棒状のロウソクの炎に似た像が表出されることになる。
電飾装置１においては、シェード７がテーブル面から所定の高さ位置で最も明るく輝くようになり、また遮蔽拡散部材６を通しておぼろげに感じられる散光部材４の形状によってシェード７の内部で恰もロウソクの火がともっている印象を与える。電飾装置１においては、上述したように散光部材４や遮蔽拡散部材６を半透明としたことにより、シェード７の外側からは照明スタンド３、すなわち各光源２ａ〜２ｃ等が直接視認されることを防止することができる。なお、色調を異ならせるときには、散光部材４、シェード部材５、遮蔽拡散部材６の色を選択的に交換することにより、所望の色調を実現することができる。
電飾装置１は、各光源２ａ〜２ｃが制御回路部２２によって点灯状態を制御される。電飾装置１は、光源２ａ〜２ｃがそれぞれ所定の光量で点灯されると、シェード７に対して照明光が広い範囲で入射される。すると、図５Ａに示すように、シェード７の表面には、細長いロウソクの炎に似た像３２が最大高さ、及び最大幅を以って現れる。
電飾装置１では、所定時間が経過すると、制御回路部２２による各光源２ａ〜２ｃの点灯の切換えが行われる。例えば、光源２ａと光源２ｃが点灯したままとし、光源２ｂが消灯するように制御される。すると、光源２ａ〜２ｃ全てが点灯した場合より全体の光量が減り、シェード７の表面に現れる像は全体的に小さくなる。すなわち、図５Ｂに示すように、シェード７の表面に現れる像３３は、図５Ａの場合と比較して、高さが低くなるとともに、点灯している光源２ａ、２ｃの側において幅も狭くなり、また全体として暗くなる。
なお、消灯している光源２ｂの側は、セパレータ１９より隔離されていることから点灯している光源２ａ、２ｃの側より更に暗い状態となる。
更に、電飾装置１は、所定時間が経過すると、例えば、光源２ｃのみが点灯し、光源２ａ、２ｂが消灯する。すると、全ての光源２ａ〜２ｃが点灯した状態やいずれか２個が点灯した状態より、全体の光量が減り、シェード７の表面に現れる像３４は、更に小さくなる。すなわち、図５Ｃに示すように、シェード７の表面に現れる像３４は、図５Ｂの場合と比較して高さが低くなるとともに、幅も狭くなり、また最も暗い状態となる。
なお、消灯している光源２ａ、２ｂの側は、セパレータ１９より隔離されていることから点灯している光源２ｃの側より更に暗くなる。
また、光源２ａのみが点灯した場合には、図５Ｃ中の１点鎖線で示すような像となる。すなわち、点灯させる光源の位置によって、像３４の現れる位置を変えることができる。
以上のように、電飾装置１は、３個の光源２ａ〜２ｃの点灯、消灯を切換制御して光量を可変し、シェード７の表面に現れる像の大きさや明るさを変え、ロウソクの炎のような揺らぎを表出することができる。
なお、以上の例では、各光源２ａ〜２ｃの光量を一定とした場合を説明したが、更に、各光源２ａ〜２ｃの光量を可変するようにして、更にきめ細かいロウソクの炎の揺らぎを表現するようにしてもよい。また、光源２ａ〜２ｃの制御パターンは図５Ａ乃至図５Ｃに示した例に限定されるものではない。
電飾装置１においては、上述したように各光源２ａ〜２ｃが制御回路部２２によってそれぞれの点灯及び消灯の動作及び間隔、発光量及びその間隔等を個別に制御されることによって、シェード７の表面に現れる像を刻々と多様に変化させることができる。電飾装置１においては、これによって各光源２ａ〜２ｃから出射された照明光が散光部材４や遮蔽拡散部材６によって散光されて間接光からなるやわらか感のある光に変換されるとともに恰もシェード７内に置かれたロウソクの炎が揺らぐような揺らぎ変化を生じる照明を行って癒しや安らぎ等の独自の雰囲気を醸し出すようにする。
上述した電飾装置１においては、各光源２ａ〜２ｃの点灯、消灯のパターンで全体の発光量を変化させることによってシェード７に現れる像の揺らぎ変化が表現されるようにしたが、例えば図６Ａに示した電飾装置４０のように各光源２ａ〜２ｃを高さ位置を変えて支持する光源支持部４１を備えることによって更にその変化が強調されるようになる。なお、電飾装置４０は、その他の構成については、電飾装置１と同様であるため詳細は省略する。すなわち、電飾装置４０においては、第１支持部４１ａに対して光源２ａが高さＨ１に支持され、第２支持部４１ｂに対して光源２ｂが高さＨ２に支持され、第３支持部４１ｃに対して光源２ｃが高さＨ３に支持されている。光源支持部４１ａ〜４１ｃは、第１支持部４１ａ〜第３支持部４１ｃがそれぞれ台座部の高さ寸法を異にして形成されることによって、光源２ａ〜２ｃがＨ１＜Ｈ３＜Ｈ２となるように支持されてなる。
したがって、最も低い位置の光源２ａのみが点灯しているとき、シェード７の表面には、図６Ｂに示すように、最も低い像４２が現れることになる。また、光源２ａと中間の高さの光源２ｂが点灯しているとき、シェード７の表面には、中間の高さの像４３が現れることとなる。更に、全ての光源２ａ〜２ｃが点灯しているとき、シェード７には、最も高い像４４が現れることになる。電飾装置４０は、以上のような３つの状態を切り換えることによって、シェード７の表面に現れる像を高さ方向に変化させることができ、ロウソクの炎の高さ方向の揺らぎに似せることができる。
なお、電飾装置４０においては、各光源２ａ〜２ｃを高さ寸法を異にする光源支持部４１に支持して多様な揺らぎ変化を表現するようにしたが、かかる構成に限定されるものではない。例えば上述した電飾装置１において、光源支持部１３にそれぞれ大きさを異にする光源２ａ〜２ｃを取り付けることによって、同様の多様な揺らぎ変化を表現することも可能である。
更に、本発明の変形例となる図７に示す電飾装置５０は、例えば基台部５１が船型に形成されてなり、この基台部５１に対してシェード５２が一体に組み合わされてなる。電飾装置５０は、例えばお盆の季節に仏壇の傍らに設置されるいわゆる迎え船型のぼんぼりとして好適に用いられる。電飾装置５０は、その他の構成を上述した電飾装置１とほぼ同等とすることから、対応する部位には同一符号を付すことによってその説明を省略する。
電飾装置５０は、基台部５１の内部に制御回路部２２が内蔵されており、船型の甲板となる上面をトーチ部１１の取付フランジ部１４によって構成する。電飾装置５０は、天井部５４を一体に形成したシェード部材５３が、詳細を省略するが下端部位に複数の係合溝を適宜形成し、これら係合溝に係合凸部２１を相対係合させることによって基台部５１に対して一体に組み合わされる。なお、電飾装置５０は、基台部５１を適宜の物品や動物等に擬態化して形成することによって、設置する場に相応しい電飾装置を構成する。
電飾装置５０は、光源２ａ〜２ｃから出射された照明光が散光部材４やシェード部材５３の内部に装着された遮蔽拡散部材５５を介して、ロウソクの炎に擬態化された揺れ変化を生じながら周囲の照明を行う。電飾装置５０は、仏壇の周囲を幻想的に照明するとともにロウソクのように直火ではないために、極めて安全である。
更に本発明の変形例となる図８に示す装置は、天井６１に設置されるダウンライト等の照明装置６０を構成してなる。照明装置６０は、基台部６２の底面に天井６１に設置した照明装置取付用の治具６３に装着可能な取付部６４が一体に形成され、この取付部６４を介して屋内配線との接続が行われる。照明装置６０には、基台部６２に形成した係合部６５によってシェード部材５と遮蔽拡散部材６とからなるシェード７が一体に組み合わされる。照明装置６０は、上述したように散光部材４や遮蔽拡散部材６によってやわらかな間接光に変換された各光源２ａ〜２ｃからの照明光が、ロウソクの炎に擬態化した揺れ変化を生じながら照明を行う。照明装置６０は、シェード部材５の天井部６６からも照明光が放射される。
上述した各具他例においては、１個の照明スタンド３に対して１個のシェード７を組み合わせて構成したが、これらを一組として多数個を並べた態様で用いるようにしてもよい。かかる電飾装置は、各照明スタンドに備える光源を全体で制御すればよく、各照明スタンド毎にそれぞれ制御回路部を設ける必要はない。電飾装置は、例えば制御回路部を備えたコントロールボックスを用意し、このコントロールボックスに対してそれぞれ照明スタンド３を接続するように構成される。
【図１】
2005031208.tif 000002
【図２】
2005031208.tif 000003
【図３】
2005031208.tif 000004
【図４】
2005031208.tif 000005
【図５】
2005031208.tif 000006
【図６】
2005031208.tif 000007
【図７】
2005031208.tif 000008
【図８】
2005031208.tif 000009
【国際調査報告】
2005031208.tif 000010
2005031208.tif 000011
2005031208.tif 000012
2005031208.tif 000013
2005031208.tif 000014